(57)【要約】【課題】基板にレジスト部を設けることなく、光学特性の低下を防止し、短時間で組み立てることができる表示装置を提供する。【解決手段】基板固定リベット３０の頭部は貫通孔１１ｃよりも大径であり、頭部は反射シート１１と基板８との間で貫通孔１１ｃを塞いでいるので、貫通孔１１ｃから基板８の一面が露出することはなく、貫通孔１１ｃに対応する基板８の箇所にレジスト部を設けることなく、光学特性の低下を防止することができる。【選択図】図２
2011023203.tif 000002
【特許請求の範囲】
【請求項１】
表示パネルに光を照射する発光素子を一面に実装した基板と、該基板の他面を支持する支持板と、前記基板及び支持板にそれぞれ設けてあり、互いの位置が対応する複数の挿入孔と、頭部及び該頭部から突出した軸部を備え、各挿入孔に前記一面側から前記軸部を挿入し、前記頭部を前記一面側に位置させて前記基板を前記支持板に固定する固定部材と、前記一面に配してあり、前記発光素子の光を反射する反射シートとを備え、前記頭部に対応する位置にて前記反射シートに貫通孔を設けてある表示装置において、
前記頭部は前記貫通孔よりも大径であり、前記貫通孔と前記基板との間に位置していること
を特徴とする表示装置。
【請求項２】
前記頭部の表面は曲面状をなすことを特徴とする請求項１に記載の表示装置。
【請求項３】
前記頭部の縁部分は中央部分よりも前記基板側に位置し、
前記頭部の縁部分に前記貫通孔の縁部分が位置していること
を特徴とする請求項１又は２に記載の表示装置。
【請求項４】
環状をなし、前記基板に設けた挿入孔の縁部分に外周部分が掛止する掛止部と、
該掛止部の周方向に沿って配置してあり、該掛止部の内周部分から軸方向に突出した複数の弾性部と、
突出した前記弾性部の端部から掛止部の径方向内側へ延出した当接部とを備え、
前記軸部を前記掛止部に挿入し、前記当接部に当接させてあること
を特徴とする請求項１から３のいずれか一つに記載の表示装置。
【請求項５】
前記軸部は雄ねじであり、
前記支持板に設けた挿入孔の内周に雌ねじを形成してあり、
前記軸部を前記雌ねじに螺合させてあること
を特徴とする請求項１から３のいずれか一つに記載の表示装置。
【請求項６】
前記発光素子はＬＥＤであることを特徴とする請求項１から５のいずれか一つに記載の表示装置。
【発明の詳細な説明】
【技術分野】
【０００１】
本発明は映像を表示する表示装置に関する。
【背景技術】
【０００２】
表示画面の大きさに比べて室内の占有面積が小さい液晶表示装置は、限られた室内空間を有効に利用することができることから、一般に広く普及している。液晶表示装置は、前キャビネットの内側に配置された映像を表示する液晶表示パネルに、後キャビネットに収容してある光源から光を照射して、映像を表示するように構成されている。従来、光源には冷陰極蛍光管が使用されてきたが、画面の明るさの部分的な制御及びいわゆる動画ブレを抑制するための高速点滅制御などを容易に行うことができることから、近年ではＬＥＤ（Light Emitting Diode）を使用することが多い。
【０００３】
特許文献１には、後キャビネットに支持板を配置し、ＬＥＤを一面に実装した基板を前記支持板に固定した表示装置が開示されている。基板の一面には光を反射する反射シートが配してあり、ＬＥＤは反射シートに開設された孔に挿通してある。一般に基板はねじなどを用いて支持板に固定してあり、反射シートのねじに対応する位置には、ねじの頭部よりも大径の貫通孔が設けてある。該貫通孔にねじの頭部を挿通させて、反射シートの変形を防いでいる。
【先行技術文献】
【特許文献】
【０００４】
【特許文献１】特開２００７−８０７９８号公報
【発明の概要】
【発明が解決しようとする課題】
【０００５】
反射シートに設けられた前記貫通孔はねじの頭部よりも大径であるため、該貫通孔から基板が露出する。そのため貫通孔に対応する基板の箇所に反射シートと同色（例えば白色）のレジスト部を設けて、表示装置の光学特性が低下することを防止している。しかしながら貫通孔に対応する基板の箇所にレジスト部を設ける作業は細かい作業であるため、長時間を要し、表示装置を効率的に組み立てることができないという問題があった。
【０００６】
本発明は係る事情に鑑みてなされたものであり、基板にレジスト部を設けることなく、光学特性の低下を防止し、短時間で組み立てることができる表示装置を提供することを目的とする。
【課題を解決するための手段】
【０００７】
本発明に係る表示装置は、表示パネルに光を照射する発光素子を一面に実装した基板と、該基板の他面を支持する支持板と、前記基板及び支持板にそれぞれ設けてあり、互いの位置が対応する複数の挿入孔と、頭部及び該頭部から突出した軸部を備え、各挿入孔に前記一面側から前記軸部を挿入し、前記頭部を前記一面側に位置させて前記基板を前記支持板に固定する固定部材と、前記一面に配してあり、前記発光素子の光を反射する反射シートとを備え、前記頭部に対応する位置にて前記反射シートに貫通孔を設けてある表示装置において、前記頭部は前記貫通孔よりも大径であり、前記貫通孔と前記基板との間に位置していることを特徴とする。
【０００８】
本発明においては、固定部材の頭部が貫通孔を塞ぐので、貫通孔から基板の一面が露出することはなく、貫通孔に対応する基板の箇所にレジスト部を設ける必要はない。
【０００９】
本発明に係る表示装置は、前記頭部の表面は曲面状をなすことを特徴とする。
【００１０】
本発明においては、反射シートが熱変化によって伸縮した場合に、貫通孔の縁部分は頭部の表面を円滑に移動する。
【００１１】
本発明に係る表示装置は、前記頭部の縁部分は中央部分よりも前記基板側に位置し、前記頭部の縁部分に前記貫通孔の縁部分が位置していることを特徴とする。
【００１２】
本発明においては、基板側に位置した頭部の縁部分に、貫通孔の縁部分が位置するので、反射シートは基板に近接する。
【００１３】
本発明に係る表示装置は、環状をなし、前記基板に設けた挿入孔の縁部分に外周部分が掛止する掛止部と、該掛止部の周方向に沿って配置してあり、該掛止部の内周部分から軸方向に突出した複数の弾性部と、突出した前記弾性部の端部から掛止部の径方向内側へ延出した当接部とを備え、前記軸部を前記掛止部に挿入し、前記当接部に当接させてあることを特徴とする。
【００１４】
本発明においては、前記軸部を掛止部に挿入し、前記当接部に当接させることで、弾性部が、環状の掛止部の径方向外向きに湾曲し、弾性部と掛止部との間で基板及び支持板が挟持され、基板が短時間で支持板に固定される。
【００１５】
本発明に係る表示装置は、前記軸部は雄ねじであり、前記支持板に設けた挿入孔の内周に雌ねじを形成してあり、前記軸部を前記雌ねじに螺合させてあることを特徴とする。
【００１６】
本発明においては、軸部を支持板に設けた挿入孔に螺合させて、基板を支持板に対し強固に固定することができる。
【００１７】
本発明に係る表示装置は、前記発光素子はＬＥＤであることを特徴とする。
【００１８】
本発明においては、ＬＥＤを発光素子として使用し、表示パネルの輝度を低下させることなく、消費電力及び発熱量を抑制する。
【発明の効果】
【００１９】
本発明に係る表示装置にあっては、固定部材の頭部にて貫通孔を塞いで、貫通孔から基板が露出することを防止しているので、貫通孔に対応する基板の箇所にレジスト部を設けることなく、光学特性の低下を防止している。また基板にレジスト部を設ける時間を削減しており、表示装置を短時間で組み立てることができる。
【図面の簡単な説明】
【００２０】
【図１】実施の形態１に係る表示装置を略示する縦断面図である。
【図２】反射シートを設けたＬＥＤ及び基板を略示する正面図である。
【図３】図２における III−III 線でのシート保持リベットを略示する断面図である。
【図４】図２における ＩＶ−ＩＶ 線での基板固定リベットを略示する断面図である。
【図５】実施の形態２に係る表示装置の基板固定ねじを略示する断面図である。
【発明を実施するための形態】
【００２１】
（実施の形態１）
以下本発明を実施の形態１に係る表示装置を示す図面に基づいて詳述する。図１は表示装置を略示する縦断面図である。
【００２２】
図において１は液晶を備える矩形の表示パネルであり、該表示パネル１は、液晶への印加電圧を制御して光の透過率を調整し、映像を表示するように構成されている。表示パネル１は、前保持枠体２と後保持枠体３とによって、その周縁部が挟持されており、矩形枠状の前キャビネット４に収容されている。該前キャビネット４は前保持枠体２及び後保持枠体３の周囲に配置されている。前キャビネット４は矩形の開口を備えており、該開口の寸法は表示パネル１に対応した寸法となっている。表示パネル１の後側には、後述するＬＥＤ９（発光素子）の光を表示パネル１へ向けて集光する複数の光学シート５が設けてある。
【００２３】
該光学シート５の後側にはＬＥＤ９の光を均一に拡散する拡散板６が設けてある。該拡散板６は、深皿形の支持板７の縁部分にて支持されている。支持板７の前面には複数の基板８が並設してあり、該基板８の後面には、熱伝導性物質、例えば金属からなる膜状の放熱パターン（図示せず）が形成してある。
【００２４】
該基板８の前面には複数のＬＥＤ９、９、・・・、９が実装されており、各ＬＥＤ９、９、・・・、９の前側に、光を拡散させるレンズ１０、１０、・・・、１０がそれぞれ配置してある。該レンズ１０の周縁部には基板８側に突出した三つの突起１０ａ、１０ａ、１０ａが周方向に並設してあり、該突起１０ａの先端が基板８の前面に接着剤によって固着してある。
【００２５】
前記支持板７の前面の左右に支持台（図示せず）が各別に設けてあり、深皿型の反射シート１１の左右縁部が前記支持台にて支持されている。反射シート１１の底面には、前記レンズ１０、１０、・・・、１０を挿通する複数の挿通孔１１ａ、１１ａ、・・・、１１ａが開設してある。各レンズ１０は挿通孔１１ａを通って前側へ突出している。
【００２６】
支持板７の後側には深皿形の後キャビネット１２が設けてある。該後キャビネット１２の縦及び横寸法と前キャビネット４の縦及び横寸法は略同じであり、後キャビネット１２の縁部分と前キャビネット４の縁部分とは互いに対向する。前キャビネット４及び後キャビネット１２の縁部分には、図示しない係合凸部及び係合凹部がそれぞれ設けてあり、該係合凸部及び係合凹部を係合させて、前キャビネット４を後キャビネット１２に固定している。なお後キャビネット１２には制御基板（図示せず）が収容してあり、該制御基板からの出力信号に基づいて、ＬＥＤ９及び表示パネル１が駆動するようにしてある。
【００２７】
図２は反射シート１１を設けたＬＥＤ９及び基板８を略示する正面図、図３は、図２における III−III 線での シート保持リベットを略示する断面図である。
基板８には、基板８の長手方向に沿って複数の挿入孔８ａが等間隔に並設してある。図３に示すように、前記支持板７には、前記挿入孔８ａに対応する位置に複数の挿入孔７ａが開設してある。該挿入孔７ａの直径は挿入孔８ａの直径と略等しい。反射シート１１には、複数の挿入孔８ａに対応する位置に、複数の貫通孔１１ｂ及び貫通孔１１ｃがそれぞれ開設してある。貫通孔１１ｂは挿入孔８ａよりも大きく、後述するシート保持リベット２０の頭部２１ａよりも小さな直径を有する。一方貫通孔１１ｃは挿入孔８ａよりも大きく、後述する基板固定リベット３０の頭部３１ａよりも小さな直径を有する。
【００２８】
図２に示すように、シート保持リベット２０及び基板固定リベット３０が前記レンズ１０同士の間にそれぞれ設けてある。
図３に示すように、挿入孔８ａ及び挿入孔７ａには、例えば金属又は炭素からなるシート保持リベット２０が挿入してあり、該シート保持リベット２０によって基板８が支持板７に固定されている。シート保持リベット２０は受けリベット２２と、挿入リベット２１とを備える。
【００２９】
受けリベット２２は、前記挿入孔８ａの直径よりも大きな直径の環状をなす掛止部２２ａを備えており、該掛止部２２ａの外周部分が、挿入孔８ａの外側であって貫通孔１１ｂの内側において、挿入孔８ａの縁部分に掛止している。掛止部２２ａの内周部分には、複数の弾性部２２ｂが周方向に並設されている。該弾性部２２ｂは掛止部２２ａの軸方向に沿って突出し、挿入孔８ａ及び挿入孔７ａに挿通している。弾性部２２ｂの軸方向の寸法は、挿入孔８ａ及び挿入孔７ａの軸方向の寸法よりも長く、弾性部２２ｂの突出端部は挿入孔７ａから軸方向に突出している。
【００３０】
弾性部２２ｂの突出端部には、掛止部２２ａの径方向内側に延出した当接部２２ｃが弾性部２２ｂと一体に設けてあり、該当接部２２ｃ同士は径方向に離隔している。
【００３１】
当接部２２ｃの内側には、掛止部２２ａに挿入された後述する軸部２１ｂが当接しており、該軸部２１ｂの当接によって弾性部２２ｂは外側に湾曲して、弾性部２２ｂが挿入孔７ａの縁部分に接触している。そのため、掛止部２２ａと弾性部２２ｂとの間で基板８及び支持板７が前後に挟持されている。
【００３２】
前記挿入リベット２１は、前記貫通孔１１ｂよりも大径の頭部２１ａを備えており、該頭部２１ａの中心部には頭部２１ａに直角な円柱形の軸部２１ｂが設けてある。該軸部２１ｂの先端部分には、先端に向かうに従って軸部２１ｂの径が小さくなるようにテーパ２１ｂａが形成してある。頭部２１ａ付近の軸部２１ｂの直径は、前記掛止部２２ａの内径と略同寸であり、軸部２１ｂを挿入していない場合における前記当接部２２ｃ間の寸法よりも大きくなっている。なお頭部２１ａの縁部分は軸部２１ｂ側に延出しており、頭部２１ａの縁部分の延出幅は前記掛止部２２ａの軸方向の寸法、すなわち掛止部２２ａの厚さ寸法よりも小さい。
【００３３】
挿入リベット２１の軸部２１ｂが掛止部２２ａに挿入してあり、軸部２１ｂの先端部分は当接部２２ｃ間の隙間に差し込まれている。
前述したように軸部２１ｂの先端部分には、先端に向かうに従って軸部２１ｂが縮径するテーパ２１ｂａを形成してある。軸部２１ｂを掛止部２２ａに挿入する前における当接部２２ｃ間の径方向に離隔した寸法は、頭部２１ａ付近の軸部２１ｂの直径よりも短くなっており、軸部２１ｂの挿入によってテーパ２１ｂａが当接部２２ｃに当接している。当接部２２ｃにテーパ２１ｂａが当接することによって、弾性部２２ｂは外側に湾曲し、挿入孔７ａの縁部分に当接している。
【００３４】
頭部２１ａは掛止部２２ａに当接しており、頭部２１ａと反射シート１１とは接触しない。軸部２１ｂ側に延出した頭部２１ａの縁部分と反射シート１１との間には僅かな隙間が設けてある。頭部２１ａの縁部分によって反射シート１１は保持されている。弾性部２２ｂと掛止部２２ａとによって、支持板７と基板８とを適当な圧力で挟持し、基板８と支持板７とを密着させる。
【００３５】
次に前記基板固定リベット３０について説明する。図４は、図２における ＩＶ−ＩＶ 線での基板固定リベット３０を略示する断面図である。
基板固定リベット３０は、受けリベット２２と、挿入リベット３１とを備える。なお基板固定リベット３０の受けリベット２２は、前述したシート保持リベット２０の受けリベット２２と同様な構成であり、同じ参照符号を付しその詳細な説明を省略する。図２に示すように、反射シート１１には基板孔８ａに対応する位置に貫通孔１１ｃが開設してある。図４に示すように、該貫通孔１１ｃは基板孔８ａよりも大きな直径を有する。
【００３６】
挿入リベット３１は貫通孔１１ｃよりも若干大径の頭部３１ａと、該頭部３１ａの中心部から突出しており、頭部３１ａに直角な円柱形の軸部３１ｂとを備えている。
【００３７】
頭部３１ａは中央部分から縁部分に向かう従って、徐々に軸部３１ｂ側に寄るように曲面状に形成されている。頭部３１ａの縁部分は中央部分に比べて薄肉に形成してあり、頭部３１ａの縁には丸め加工が施してある。頭部３１ａの縁部分（薄肉部分）の厚さは反射シート１１と同程度の厚さとなっている。軸部３１ｂの軸方向において、頭部３１ａの中央部分と頭部３１ａの縁部分との間の寸法は、掛止部２２ａの厚さと略同じである。頭部３１ａは、光の反射効率を高めるべく、反射シート１１と同色（例えば白色）の合成樹脂にて構成されている。
【００３８】
軸部３１ｂの先端部分には、先端に向かうに従って軸部３１ｂが縮径するようにテーパ３１ｂａが形成してある。頭部３１ａ付近の軸部３１ｂの直径は、前記掛止部２２ａの内径と略同寸であり、軸部３１ｂを挿入していない場合における前記当接部２２ｃ間の径方向の寸法よりも大きくなっている。
【００３９】
挿入リベット３１の軸部３１ｂは掛止部２２ａに挿入してあり、軸部３１ｂの先端部分は当接部２２ｃ間の隙間に差し込まれている。前述したように軸部３１ｂの先端部分にはテーパ３１ｂａが形成してあり、軸部３１ｂの挿入によってテーパ３１ｂａは当接部２２ｃに当接している。テーパ３１ｂａが当接部２２ｃに当接することによって、弾性部２２ｂは外側へ湾曲し、挿入孔７ａの縁部分に当接している。
【００４０】
頭部３１ａの中央部分は掛止部２２ａに当接している。前述したように軸部３１ｂの軸方向において、頭部３１ａの中央部分と頭部３１ａの縁部分との間の寸法は、掛止部２２ａの厚さと略同じであるので、頭部３１ａの縁部分は基板８に強圧することなく当接している。
【００４１】
頭部３１ａは前記貫通孔１１ｃと基板８との間に位置しており、頭部３１ａは貫通孔１１ｃよりも若干大径なので、頭部３１ａの縁部分（薄肉部分）の上に貫通孔１１ｃの縁部分が位置している。また貫通孔１１ｃは頭部３１ａによって基板８側から塞がれており、貫通孔１１ｃからは頭部３１ａの中央部分が前側へ僅かに突出している。
【００４２】
実施の形態１に係る表示装置にあっては、基板固定リベット３０の頭部３１ａが貫通孔１１ｃを塞ぐので、貫通孔１１ｃから基板８の一面が露出することはなく、貫通孔１１ｃに対応する基板８の箇所にレジスト部を設けることなく、光学特性の低下を防止している。また基板８にレジスト部を設ける時間が削減されるので、表示装置を短時間で組み立てることができる。
【００４３】
また頭部３１ａは中央部分から縁部分に向かう従って、徐々に軸部３１ｂ側に寄るように曲面状に形成されており、頭部３１ａの縁には丸め加工が施してあるので、反射シート１１が熱変化によって伸縮した場合に、貫通孔１１ｃの縁部分は頭部３１ａの表面を円滑に移動し、反射シート１１に皺が発生することを防ぐことができる。
【００４４】
また基板８側に位置した頭部３１ａの縁部分に、貫通孔１１ｃの縁部分が位置するので、反射シート１１は基板８に近接し、反射シート１１が基板８から離反して光学特性が低下することを防止することができる。
【００４５】
また前記軸部３１ｂを掛止部２２ａに挿入し、前記当接部２２ｃに当接させることで、弾性部２２ｂが、環状の掛止部２２ａの径方向外向きに湾曲し、弾性部２２ｂと掛止部２２ａとの間で基板８及び支持板７が挟持されるので、基板８を短時間で支持板７に固定することができる。
【００４６】
またＬＥＤ９を発光素子として使用しているので、表示パネル１の輝度を低下させることなく、消費電力及び発熱量を抑制することができる。
【００４７】
なお実施の形態１に係る表示装置においては、頭部３１ａは反射シート１１と同色の合成樹脂にて構成されているが、頭部３１ａを反射シート１１と異なる色の素材で成形し、頭部３１ａの表面に反射シート１１と同色の塗料を塗布しても良い。また実施の形態１に係る表示装置は発光素子としてＬＥＤ９を使用しているが、ＬＤ(Laser Diode)などを使用しても良い。
【００４８】
（実施の形態２）
以下本発明を実施の形態２に係る表示装置を示す図面に基づいて詳述する。図５は基板固定ねじを略示する断面図である。図５に示すように、前記支持板７には、前記挿入孔８ａに対応する位置に、内周面に雌ねじを形成した複数のねじ孔７ｂが開設してある。該ねじ孔７ｂは貫通しており、ねじ孔７ｂの直径は挿入孔８ａの直径と略等しい。挿入孔８ａの縁部分には座金４１が同軸的に配置してある。
【００４９】
ねじ孔７ｂには基板固定ねじ４０が螺合している。基板固定ねじ４０は、貫通孔１１ｃよりも若干大径の頭部４０ａと、該頭部４０ａの中心部から突出しており、頭部４０ａに直角な円柱形の軸部４０ｂとを備えている。
【００５０】
頭部４０ａは中央部分から縁部分に向かう従って、徐々に軸部４０ｂ側に寄るように曲面状に形成されている。頭部４０ａの縁部分は中央部分に比べて薄肉に形成してあり、頭部４０ａの縁には丸め加工が施してある。頭部４０ａの縁部分（薄肉部分）の厚さは反射シート１１と同程度の厚さとなっている。軸部４０ｂの軸方向において、頭部４０ａの中央部分と頭部４０ａの縁部分との間の寸法は、座金４１の厚さと略同じである。頭部４０ａの表面には、光の反射効率を高めるべく、反射シート１１と同色（例えば白色）の塗料が塗布してある。
【００５１】
軸部４０ｂは雄ねじであり、軸部の４０ｂの直径はねじ孔７ｂ及び挿入孔８ａと略同じである。軸部４０ｂは、基板８側から挿入孔８ａに挿入してあり、ねじ孔７ｂに螺合している。
【００５２】
頭部４０ａの中央部分は座金４１に当接している。前述したように軸部４０ｂの軸方向において、頭部４０ａの中央部分と頭部４０ａの縁部分との間の寸法は、座金４１の厚さと略同じであるので、頭部４０ａの縁部分は基板８に強圧することなく当接している。
【００５３】
頭部４０ａは前記貫通孔１１ｃと基板８との間に位置しており、前述したように頭部４０ａは貫通孔１１ｃよりも若干大径なので、頭部４０ａの縁部分（薄肉部分）の上に貫通孔１１ｃの縁部分が位置している。また貫通孔１１ｃは頭部４０ａによって基板８側から塞がれており、貫通孔１１ｃからは頭部４０ａの中央部分が前側へ僅かに突出している。
【００５４】
実施の形態２に係る表示装置にあっては、頭部４０ａが貫通孔１１ｃを塞ぐので、貫通孔１１ｃから基板８の一面が露出することはなく、貫通孔１１ｃに対応する基板８の箇所にレジスト部を設けることなく、光学特性の低下を防止している。また基板８にレジスト部を設ける時間が削減されるので、表示装置を短時間で組み立てることができる。また軸部４０ｂを支持板７に設けたねじ孔７ｂに螺合させて、基板８を支持板７に対し強固に固定することができる。
【００５５】
なお実施の形態２に係る表示装置にあっては、頭部４０ａの表面に、反射シート１１と同色（例えば白色）の塗料を塗布しているが、塗料を塗布せずに、頭部４０ａを反射シート１１と同色の素材で成形してもよい。
【００５６】
実施の形態２に係る表示装置の構成のうち、実施の形態１と同様な構成については同じ符号を付し、その詳細な説明を省略する。
【符号の説明】
【００５７】
１  表示パネル
７  支持板
７ａ、８ａ  挿入孔
７ｂ  ねじ孔（挿入孔）
８  基板
９  ＬＥＤ（発光素子）
１１  反射シート
１１ｃ  貫通孔
２２  受けリベット
２２ａ  掛止部
２２ｂ  弾性部
２２ｃ  当接部
３０  基板固定リベット（固定部材）
３１  挿入リベット
３１ａ  頭部
３１ｂ  軸部
４０  基板固定ねじ（固定部材）
４０ｂ  軸部（雄ねじ）
【図１】
2011023203.tif 000003
【図２】
2011023203.tif 000004
【図３】
2011023203.tif 000005
【図４】
2011023203.tif 000006
【図５】
2011023203.tif 000007